(57)【要約】【課題】既設ドレンの排水管に複数の屈曲部がある場合にそれらの屈曲部に筒部を容易に通し得る改修ドレンを提供することにある。【解決手段】建築物の躯体の排水路の位置に固設される固定部と、前記固定部の内側に交換可能に装着される交換部とを具え、前記交換部は前記排水路の少なくとも開口を形成するとともに前記排水路に要求される排水能力を有することを特徴とする交換式ドレンである。【選択図】図４
2016125308.tif 000002
【特許請求の範囲】
【請求項１】
建築物の躯体の排水路の位置に固設される固定部と、前記固定部の内側に交換可能に装着される交換部とを具え、
前記交換部は前記排水路の少なくとも入口端部を形成するとともに前記排水路に要求される排水能力を有することを特徴とする交換式ドレン。
【請求項２】
前記交換部は、前記排水路の入口端部を形成するインナードレンと、そのインナードレンに分離可能に接続されて前記排水路の他の部分の少なくとも一部を形成するインナーパイプとを有するものであることを特徴とする、請求項１記載の交換式ドレン。
【請求項３】
前記固定部は、前記排水路の入口端部を囲むベースドレンと、そのベースドレンに接続されて前記排水路の他の部分の少なくとも一部を囲むベースパイプとを有するものであることを特徴とする、請求項１または２記載の交換式ドレン。
【発明の詳細な説明】
【技術分野】
【０００１】
本発明は、雨水等を排出するためにバルコニーやベランダ等に設けられているドレンに関し、特には防水改修を施工する際に容易にその施工を行い得る交換式ドレンに関するものである。
【背景技術】
【０００２】
雨水等の排水対策としてバルコニーやベランダ等に設けられているドレンは、バルコニーやベランダ等の内壁面や床面に入口端部が開口する排水管を具え、その排水管の出口端部は雨樋や排水溝等に接続され、あるいはそれらに向けて開口している。
【０００３】
このようなドレンに防水改修を施工する際には通常、排水孔を有するツバ部と、基端部を前記ツバ部に接続されて前記排水孔に連通された屈曲可能な筒部とを具える改修ドレンを用い、排水管の内径に近い外径のその筒部をバルコニーやベランダ等に位置する入口端部から排水管内に挿通させるとともに、そのツバ部を、排水管の入口端部を囲むバルコニーやベランダ等の壁部の内壁面や床部の床面等の陸部に水密に密接させている（特許文献１参照）。
【先行技術文献】
【特許文献】
【０００４】
【特許文献１】実用新案登録第３１８６５９５号公報
【発明の概要】
【発明が解決しようとする課題】
【０００５】
しかしながら、改修ドレンは通常、既設ドレンへの挿入性を重視する観点から外径が既設ドレンの内径よりもかなり小さいため、その内径も既設ドレンの内径よりかなり小さくなっており、排水能力が縦型の場合で２０％程度、横型の場合で３０〜５０％程度低下する場合があるという問題があった。
【０００６】
また、既設ドレンの設置状況によっては、改修ドレンを挿入すること自体が困難な場合があるという問題があった。
【課題を解決するための手段】
【０００７】
以上明らかにした従来の改修ドレンの問題点を有利に解決すべく、本発明者は鋭意検討を進め、本発明を想到するに至った。
すなわち、本発明の交換式ドレンは、建築物の躯体の排水路を設ける位置に固設される固定部と、前記固定部の内側に交換可能に装着される交換部とを具え、
前記交換部は前記排水路の少なくとも入口端部を形成するとともに前記排水路に要求される排水能力を有することを特徴とするものである。
【発明の効果】
【０００８】
本発明の交換式ドレンによれば、建築物の躯体の排水路を設ける位置に固設される固定部の内側に、排水路の少なくとも入口端部を形成するとともに前記排水路に要求される排水能力を有する交換部が装着されるので、ドレンに防水改修を施工する際に、交換部を新しいものに交換しても排水能力に不足が生じることがない。しかも交換部は固定部の内側に交換可能に装着されるので、交換部の交換作業にも不都合が生じることがない。
【０００９】
なお、本発明においては、前記交換部は、前記排水路の入口端部を形成するインナードレンと、そのインナードレンに分離可能に接続されて前記排水路の他の部分の少なくとも一部を形成するインナーパイプとを有するものであると、インナードレンとインナーパイプとを分離させることで交換部の保管や運搬のスペースを減らすことができるとともに交換部の交換作業を容易にできるので好ましい。
【００１０】
また、本発明においては、前記固定部は、前記排水路の入口端部を囲むベースドレンと、そのベースドレンに接続されて前記排水路の他の部分の少なくとも一部を囲むベースパイプとを有するものであると、固定部の保管や運搬のスペースを減らすことができるとともに固定部の設置作業を容易にできるので好ましい。
【図面の簡単な説明】
【００１１】
【図１】本発明の交換式ドレンの一実施例としての横引タイプの交換式ドレンを示す平面図である。
【図２】上記実施例の横引タイプの交換式ドレンを示す、図１中のＡ−Ａ線に沿う断面図である。
【図３】上記実施例の横引タイプの交換式ドレンにおける交換部の交換作業を示す平面図である。
【図４】上記実施例の横引タイプの交換式ドレンにおける交換部の交換作業を示す、図３中のＢ−Ｂ線に沿う断面図である。
【図５】本発明の交換式ドレンの他の一実施例としての縦引タイプの交換式ドレンを示す平面図である。
【図６】上記実施例の縦引タイプの交換式ドレンを示す、図５中のＣ−Ｃ線に沿う断面図である。
【図７】上記実施例の縦引タイプの交換式ドレンにおける交換部の交換作業を示す平面図である。
【図８】上記実施例の縦引タイプの交換式ドレンにおける交換部の交換作業を示す、図７中のＤ−Ｄ線に沿う断面図である。
【発明を実施するための形態】
【００１２】
以下、本発明の実施の形態を実施例によって図面に基づき詳細に説明する。ここに、図１は、本発明の交換式ドレンの一実施例としての横引タイプの交換式ドレンを示す平面図であり、図２は、上記実施例の横引タイプの交換式ドレンを示す、図１中のＡ−Ａ線に沿う断面図である。
【００１３】
この実施例の横引きタイプの交換式ドレンは、建築物の躯体としてのバルコニーやベランダ等の壁部Ｗの内壁面に開口する入口端部から横向きに延在した後に屈曲部を介して下向きに延在し、図示しない出口端部を雨樋や排水溝等に接続され、あるいはそれらに向けて開口する排水路を形成するために用いられるもので、壁部Ｗの排水路を設ける位置に固設される固定部１と、その固定部１の内側に交換可能に装着される交換部２とを具え、交換部２は排水路の入口端部と横向き通路とを形成するとともにこの排水路に要求される排水能力（すなわち通路断面積もしくは内径）を有している。
【００１４】
固定部１は、Ｌ字状断面で中央部に開口１１ａを有するとともに周辺部にＬ字の折曲方向に突出する縁部１１ｂを有する板状のツバ部１１と、その開口１１ａに連通してツバ部１１からＬ字の折曲方向と逆方向に突出する筒部１２とを有し、壁部Ｗの排水路を設ける位置に横向きに形成された貫通孔内に壁部Ｗの内壁面側から筒部１２を挿入されて排水路の入口端部を囲む壁部Ｗの内壁面の浅い凹部内にツバ部１１を水密に固着されるベースドレン１３と、ベースドレン１３の筒部１２の先端部に一端部を例えばねじ結合により水密かつ強固に接続されて排水路の横向き通路を囲む位置に配設されるベースパイプ１４とを具えている。
【００１５】
ベースパイプ１４の他端部は壁部Ｗの外壁面から外部に突出し、壁部Ｗの外壁面に固設された縦向きのパイプ１５の上端部に分割式のエルボ１６を介して接続されている。縦向きのパイプ１５の下端部は排水路の出口端部を形成し、雨樋や排水溝等に接続され、あるいはそれらに向けて開口している。
【００１６】
交換部２は、固定部１のベースドレン１３のツバ部１１と同様に、Ｌ字状断面で中央部に開口２１ａを有する板状のツバ部２１と、その開口２１ａに連通してツバ部２１からＬ字の折曲方向と逆方向に突出する筒部２２とを有し、固定部１のベースドレン１３の開口１１ａ内に壁部Ｗの内壁面側から筒部２２を挿通されて排水路の入口端部を形成するインナードレン２３と、インナードレン２３の筒部２２の先端部に一端部を例えばねじ結合により着脱可能にかつ水密に接続されて排水路の横向き通路を形成するインナーパイプ２４とを具えている。
【００１７】
インナードレン２３のツバ部２１は、ベースドレン１３のツバ部１１の正面側（図では右側）に配置されてツバ部１１の縁部１１ｂで周辺部を囲まれ、そのツバ部２１の正面向きの面は縁部１１ｂの先端とともに、実質的に壁部Ｗの内壁面と同一平面上に位置し、そのツバ部２１の上向きの面は縁部１１ｂの先端とともに、床部Ｆの上面と同一平面上に位置している。インナードレン２３のツバ部２１の周辺部とベースドレン１３のツバ部１１の周辺部との間には粘着性のシール材３１が介挿され、そのシール材３１がインナードレン２３をベースドレン１３に水密に固着している。
【００１８】
これらツバ部２１の正面向きの面と縁部１１ｂの先端とは、壁部Ｗの内壁面に設けられた防水層３２で覆われ、ツバ部２１の上向きの面と縁部１１ｂの先端とは、床部Ｆの上面に設けられた防水層３２で覆われている。インナードレン２３のツバ部２１の正面向きの面には防水層３２を貫通するダボ２１ｂが突設され、そのダボ２１ｂには図示しない多数の孔が開いた平板状のストレーナ３３がねじ止めされている。
【００１９】
インナーパイプ２４の他端部は、ベースパイプ１４の他端部と整列する位置まで延在するとともにベースパイプ１４の他端部との間および分割式のエルボ１６との間にシール材３１と同様の図示しないシール材を介挿されて、そこからの排水漏れを防止されている。
【００２０】
図３は、上記実施例の横引タイプの交換式ドレンにおける交換部の交換作業を示す平面図であり、図４は、上記実施例の横引タイプの交換式ドレンにおける交換部の交換作業を示す、図３中のＢ−Ｂ線に沿う断面図である。
【００２１】
ドレンに防水改修を施工する際の、この実施例の横引タイプの交換式ドレンにおける交換部２の交換作業は、先ず分割式のエルボ１６を左右に分割してベースパイプ１４の他端部の内側のインナーパイプ２４の他端部を露出させ、インナーパイプ２４を例えばその内周面に摩擦結合する工具等で回転させることでインナードレン２３の筒部２２から分離させて図中矢印で示すようにベースパイプ１４内から抜き出し、新しいインナーパイプ２４と交換する。
【００２２】
次いでインナードレン２３のツバ部２１の外周縁に沿って防水層３２をカッター等で切断してから、インナードレン２３のツバ部２１をベースドレン１３のツバ部１１のシール材３１から剥がしてインナードレン２３の筒部２２をベースドレン１３の筒部１２内から抜き出し、インナードレン２３をベースドレン１３から外して新しいインナードレン２３と交換する。
【００２３】
交換部２の装着の際には、上記の手順と逆の手順で行い、シール材３１等のシール材には新しいものを用い、防水層３２については、インナードレン２３のツバ部２１の外周縁に沿った切断部分を例えば接着剤で水密に接続してもよく、あるいはインナードレン２３のツバ部２１を囲む広い範囲を張り替えてもよい。
【００２４】
この実施例の横引タイプの交換式ドレンによれば、壁部Ｗの排水路を設ける位置に固設される固定部１の内側に、排水路の入口端部と横向き通路とを形成するとともにその排水路に要求される排水能力を有する交換部２が装着されるので、ドレンに防水改修を施工する際に、交換部２を新しいものに交換しても排水能力に不足が生じることがない。しかも交換部２は固定部１の内側に交換可能に装着されるので、交換部２の交換作業にも不都合が生じることがない。
【００２５】
さらにこの実施例の横引タイプの交換式ドレンによれば、交換部２は、排水路の入口端部を形成するインナードレン２３と、そのインナードレン２３に分離可能に接続されて排水路の横向き通路の少なくとも一部を形成するインナーパイプ２４とを有するので、インナードレン２３とインナーパイプ２４とを分離させることで交換部２の保管や運搬のスペースを減らすことができるとともに交換部２の交換作業を容易に行うことができる。
【００２６】
またこの実施例の横引タイプの交換式ドレンによれば、固定部１は、排水路の入口端部を囲むベースドレン１３と、そのベースドレン１３に接続されて排水路の横向き通路の少なくとも一部を囲むベースパイプ１４とを有するので、固定部１の保管や運搬のスペースを減らすことができるとともに固定部１の設置作業を容易に行うことができる。
【００２７】
図５は、本発明の交換式ドレンの他の一実施例としての縦引タイプの交換式ドレンを示す平面図であり、図６は、上記実施例の縦引タイプの交換式ドレンを示す、図５中のＣ−Ｃ線に沿う断面図である。図中、先の実施例と同様の部分はそれと同一の符号にて示す。
【００２８】
この実施例の縦引きタイプの交換式ドレンは、建築物の躯体としてのバルコニーやベランダ等の床部Ｆの上面に開口する入口端部から縦向きに延在した後に屈曲部を介して横向きに延在し、図示しない出口端部を雨樋や排水溝等に接続され、あるいはそれらに向けて開口する排水路を形成するために用いられるもので、床部Ｆの排水路を設ける位置に固設される固定部１と、その固定部１の内側に交換可能に装着される交換部２とを具え、交換部２は排水路の入口端部と縦向き通路とを形成するとともにこの排水路に要求される排水能力（すなわち通路断面積もしくは内径）を有している。
【００２９】
固定部１は、中央部が僅かに窪んだ円形でその中央部に開口１１ａを有するとともに周辺部に上方に突出する縁部１１ｂを有する板状のツバ部１１と、その開口１１ａに連通してツバ部１１から下方に突出する筒部１２とを有し、床部Ｆの排水路を設ける位置に縦向きに形成された貫通孔内に床部Ｆの上面側から筒部１２を挿入されて排水路の入口端部を囲む床部Ｆの上面の浅い凹部内にツバ部１１を水密に固着されるベースドレン１３と、ベースドレン１３の筒部１２の下端部に上端部を例えばねじ結合により水密かつ強固に接続されて排水路の縦向き通路を囲む位置に配設されるベースパイプ１４とを具えている。
【００３０】
ベースパイプ１４の下端部は床部Ｆの下面から外部に突出し、床部Ｆの下面に固設された縦向きのパイプ１５の一端部にエルボ１６を介して接続されている。縦向きのパイプ１５の他端部は排水路の出口端部を形成し、雨樋や排水溝等に接続され、あるいはそれらに向けて開口している。
【００３１】
交換部２は、固定部１のベースドレン１３のツバ部１１と同様に、中央部が僅かに窪んだ円形でその中央部に開口２１ａを有する板状のツバ部２１と、その開口２１ａに連通してツバ部２１から下方に突出する筒部２２とを有し、固定部１のベースドレン１３の開口１１ａ内に床部Ｆの上面側から筒部２２を挿通されて排水路の入口端部を形成するインナードレン２３と、インナードレン２３の筒部２２の下端部に上端部を例えばねじ結合により着脱可能にかつ水密に接続されて排水路の縦向き通路を形成するインナーパイプ２４とを具えている。
【００３２】
インナードレン２３のツバ部２１は、ベースドレン１３のツバ部１１の上側に配置されてツバ部１１の縁部１１ｂで周辺部を囲まれ、そのツバ部２１の上向きの面は縁部１１ｂの先端とともに、実質的に床部Ｆの上面と同一平面上に位置している。インナードレン２３のツバ部２１の周辺部とベースドレン１３のツバ部１１の周辺部との間には粘着性のシール材３１が介挿され、そのシール材３１がインナードレン２３をベースドレン１３に水密に固着している。
【００３３】
これらツバ部２１の上向きの面と縁部１１ｂの先端とは、床部Ｆの上面に設けられた防水層３２で覆われている。インナードレン２３のツバ部２１の上向きの面には防水層３２を貫通するダボ２１ｂが複数突設され、それらのダボ２１ｂには多数の孔が開いた逆カップ状のストレーナ３３がねじ止めされている。
【００３４】
インナーパイプ２４の下端部は、ベースパイプ１４の下端部と整列する位置まで延在するとともにベースパイプ１４の下端部との間およびエルボ１６との間にシール材３１と同様の図示しないシール材を介挿されて、そこからの排水漏れを防止されている。
【００３５】
図７は、上記実施例の縦引タイプの交換式ドレンにおける交換部の交換作業を示す平面図であり、図８は、上記実施例の縦引タイプの交換式ドレンにおける交換部の交換作業を示す、図７中のＤ−Ｄ線に沿う断面図である。
【００３６】
ドレンに防水改修を施工する際の、この実施例の縦引タイプの交換式ドレンにおける交換部２の交換作業は、先ず、インナードレン２３のツバ部２１の外周縁に沿って防水層３２をカッター等で切断してから、インナードレン２３のツバ部２１をベースドレン１３のツバ部１１のシール材３１から剥がして、図中矢印で示すように、インナードレン２３の筒部２２をベースドレン１３の筒部１２内から抜き出すとともにインナーパイプ２４をベースパイプ１４内から抜き出し、インナードレン２３をベースドレン１３から外して、新しいインナーパイプ２４を筒部２２に接続した新しいインナードレン２３と交換する。
【００３７】
交換部２の装着の際には、上記の手順と逆の手順で行い、シール材３１等のシール材は新しいものを用い、防水層３２については、インナードレン２３のツバ部２１の外周縁に沿った切断部分を例えば接着剤で水密に接続してもよく、あるいはインナードレン２３のツバ部２１を囲む広い範囲を張り替えてもよい。
【００３８】
この実施例の縦引タイプの交換式ドレンによっても、先の実施例の縦引タイプの交換式ドレンと同様の有利な作用効果をもたらすことができる。
【００３９】
以上、図示例に基づき説明したが、この発明の交換式ドレンは上述の例に限定されるものでなく、例えば、特に縦型の場合には固定部１に対する交換部２の着脱が容易なので、交換部２のインナードレン２３とインナーパイプ２４とを一体で形成してもよい。また、横型および縦型の何れにおいても固定部１のベースドレン１３とベースパイプ１４とを一体で形成してもよい。
【産業上の利用可能性】
【００４０】
かくして本発明の交換式ドレンによれば、建築物の躯体の排水路を設ける位置に固設される固定部の内側に、排水路の少なくとも入口端部を形成するとともに前記排水路に要求される排水能力を有する交換部が装着されるので、ドレンに防水改修を施工する際に、交換部を新しいものに交換しても排水能力に不足が生じることがない。しかも交換部は固定部の内側に交換可能に装着されるので、交換部の交換作業にも不都合が生じることがない。
【符号の説明】
【００４１】
１  固定部
１１  ツバ部
１１ａ  開口
１１ｂ  縁部
１２  筒部
１３  ベースドレン
１４  ベースパイプ
１５  パイプ
１６  エルボ
２  交換部
２１  ツバ部
２１ａ  開口
２１ｂ  ダボ
２２  筒部
２３  インナードレン
２４  インナーパイプ
３１  シール材
３２  防水層
３３  ストレーナ
Ｆ  床部
Ｗ  壁部
【図１】
2016125308.tif 000003
【図２】
2016125308.tif 000004
【図３】
2016125308.tif 000005
【図４】
2016125308.tif 000006
【図５】
2016125308.tif 000007
【図６】
2016125308.tif 000008
【図７】
2016125308.tif 000009
【図８】
2016125308.tif 000010
【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
建築物の躯体の排水路の位置に固設される固定部と、前記固定部の内側に抜き挿し可能に装着される交換部とを具え、
前記交換部は前記排水路の少なくとも入口端部を形成するとともに前記排水路に要求される排水能力を有することを特徴とする交換式ドレン。
【請求項２】
前記交換部は、前記排水路の入口端部を形成するインナードレンと、そのインナードレンに分離可能に接続されて前記排水路の他の部分の少なくとも一部を形成するインナーパイプとを有するものであることを特徴とする、請求項１記載の交換式ドレン。
【請求項３】
前記固定部は、前記排水路の入口端部を囲むベースドレンと、そのベースドレンに接続されて前記排水路の他の部分の少なくとも一部を囲むベースパイプとを有するものであることを特徴とする、請求項１または２記載の交換式ドレン。
【手続補正２】
【補正対象書類名】明細書
【補正対象項目名】０００７
【補正方法】変更
【補正の内容】
【０００７】
以上明らかにした従来の改修ドレンの問題点を有利に解決すべく、本発明者は鋭意検討を進め、本発明を想到するに至った。
すなわち、本発明の交換式ドレンは、建築物の躯体の排水路を設ける位置に固設される固定部と、前記固定部の内側に抜き挿し可能に装着される交換部とを具え、
前記交換部は前記排水路の少なくとも入口端部を形成するとともに前記排水路に要求される排水能力を有することを特徴とするものである。
【手続補正３】
【補正対象書類名】明細書
【補正対象項目名】０００８
【補正方法】変更
【補正の内容】
【０００８】
本発明の交換式ドレンによれば、建築物の躯体の排水路を設ける位置に固設される固定部の内側に、排水路の少なくとも入口端部を形成するとともに前記排水路に要求される排水能力を有する交換部が装着されるので、ドレンに防水改修を施工する際に、交換部を新しいものに交換しても排水能力に不足が生じることがない。しかも交換部は固定部の内側に抜き挿し可能に装着されるので、交換部の交換作業にも不都合が生じることがない。